(57)【特許請求の範囲】
【請求項１】
防護柵用支柱の上端に固定されたキャップに、左右の手摺の端部を互いに突き合わせて角度調整自在に固定するための防護柵の手摺用自在継手において、
両端に前記手摺端部の下半部を収容する、長手方向中央部に円形状バカ孔を有する半円筒形状の下部継手部材と、貫通孔を有し、前記バカ孔の内径より大きい直径を有する球状部材と、前記球状部材を前記バカ孔上に固定するための、前記貫通孔を通って前記キャップにねじ込まれる第１固定ボルトと、前記球状部材から突出する前記第１固定ボルトに嵌め込まれる、前記キャップと前記下部継手部材との間に所定の間隔をあけるための円筒状台座と、両端に前記手摺端部の上半部を収容する、長手方向中央下面に前記球状部材の上部を受け入れる半球状凹部を有する半円筒形状の上部継手部材と、前記下部継手部材と前記上部継手部材とを前記手摺の端部と共に一体的に筒状に連結するための第２固定ボルトとからなることを特徴とする、防護柵の手摺用自在継手。
【請求項２】
前記球状部材、前記第１固定ボルトおよび前記円筒状台座は、一体的に形成され、このように一体形成された係止部材を介して前記下部継手部材および前記上部継手部材は、前記支柱の前記キャップに固定されることを特徴とする、請求項１記載の手摺用自在継手。
【請求項３】
前記下部継手部材の前記バカ孔の下方部は、下方に向かって広がっていることを特徴とする、請求項１または２記載の手摺用自在継手。
【請求項４】
前記下部継手部材および前記上部継手部材は、長手中央部を境に先細りのテーパーが形成されていることを特徴とする、請求項１から３の何れか１つに記載された手摺用自在継手。
【発明の詳細な説明】
【０００１】
【産業上の利用分野】
この発明は、防護柵の手摺用自在継手、特に、支柱の上端に手摺を取り付ける場合において、支柱に対する手摺の取付け角度を自在に変えることができ、しかも、優れた美観を有する、防護柵の手摺用自在継手に関するものである。
【０００２】
【従来の技術】
従来、支柱の上端に横棧を取り付けるための継ぎ手構造として、図１２あるいは図１３に示すようなものが知られている。図１２に示す継ぎ手構造は、コ字型のボルト１を支柱２の上端と手摺３とに挿通させて、支柱２の上端に手摺３を水平に固定するものである。そして、図１３に示す継ぎ手構造は、コ字型ボルトの一端を外方に折り曲げたボルト４を支柱２の上端と手摺３とに挿通させて、支柱２の上端に手摺３を水平に固定するものである。
【０００３】
【発明が解決しようとする課題】
しかしながら、上述した両継ぎ手構造は、手摺３を支柱２の上端に固定することはできても、支柱２に対する手摺３の取付け角度を変えることができなかった。
【０００４】
従って、この発明の目的は、支柱の上端に手摺を取り付ける場合において、支柱に対する手摺の取付け角度を、水平面内においては３６０°、そして、垂直面内においては所定の角度範囲内において自在に変えて固定することができる防護柵の手摺用自在継手を提供することにある。
【０００５】
【課題を解決するための手段】
この発明は、防護柵用支柱の上端に固定されたキャップに、左右の手摺の端部を互いに突き合わせて角度調整自在に固定するための防護柵の手摺用自在継手において、両端に前記手摺端部の下半部を収容する、長手方向中央部に円形状バカ孔を有する半円筒形状の下部継手部材と、貫通孔を有し、前記バカ孔の内径より大きい直径を有する球状部材と、前記球状部材を前記バカ孔上に固定するための、前記貫通孔を通って前記キャップにねじ込まれる第１固定ボルトと、前記球状部材から突出する前記第１固定ボルトに嵌め込まれる、前記キャップと前記下部継手部材との間に所定の間隔をあけるための円筒状台座と、両端に前記手摺端部の上半部を収容する、長手方向中央下面に前記球状部材の上部を受け入れる半球状凹部を有する半円筒形状の上部継手部材と、前記下部継手部材と前記上部継手部材とを前記手摺の端部と共に一体的に筒状に連結するための第２固定ボルトとからなることに特徴を有するものである。
【０００６】
この発明の別の特徴は、前記球状部材、前記第１固定ボルトおよび前記円筒状台座は、一体的に形成され、このように一体形成された係止部材を介して前記下部継手部材および前記上部継手部材は、前記支柱の上端に固定されることにある。
【０００７】
この発明の別の特徴は、前記下部継手部材の前記バカ孔の下方部は、下方に向かって広がっていることにある。
【０００８】
この発明の別の特徴は、前記球状部材、前記第１固定ボルトおよび前記円筒状台座は、一体的に形成されていることにある。
【０００９】
この発明の更に別の特徴は、前記下部継手部材および前記上部継手部材は、長手中央部を境に先細りのテーパーが形成されている。
【００１０】
【作用】
左右の手摺の端部を固定するための下部継手部材と上部継手部材とを球状部材を介して互いに連結すれば、水平面内における手摺の角度調整は３６０°自在に行え、垂直面内においても所定角度範囲内において角度調整が行える。
【００１１】
【実施例】
次に、この発明の、防護柵の手摺用自在継手の一実施態様を、図面を参照しながら説明する。
【００１２】
図１は、この発明の、防護柵の手摺用自在継手の一実施態様を示す部分断面図、図２は、この発明の、防護柵の手摺用自在継手における下部継手部材を示す平面図、図３は、この発明の、防護柵の手摺用自在継手における下部継手部材を示す側面図、図４は、この発明の、防護柵の手摺用自在継手における下部継手部材を示す正面図、図５は、この発明の、防護柵の手摺用自在継手における上部継手部材を示す平面図、図６は、この発明の、防護柵の手摺用自在継手における下部継手部材を示す側面図、図７は、この発明の、防護柵の手摺用自在継手における上部継手部材を示す正面図、図８は、この発明の、防護柵の手摺用自在継手における球状部材を示す正面図、図９は、この発明の、防護柵の手摺用自在継手における円筒状台座を示す断面図、図１０は、この発明の、防護柵の手摺用自在継手における係止部材を示す正面図、図１１は、この発明の、防護柵の手摺用自在継手における別の係止部材を示す正面図である。
【００１３】
図１から図９において、５は、防護柵用支柱、６は、支柱５の上端に固定された、中央部に後述する第１固定ボルト１１がねじ込まれる雌ネジ６Ａが形成されたキャップ、７は、後述する第１固定ボルトおよび上部継手部材の雌ネジ用の孔７Ａが形成された手摺、８は、左右の手摺７の端部を互いに突き合わせて角度調整自在にキャップ６に固定するための、この発明の手摺用自在継手である。
【００１４】
この発明の手摺用自在継手８は、図２から図４に示されるように、左右の手摺７端部の下半部を収容する、長手方向中央部に円形状バカ孔９Ａを有する半円筒形状の下部継手部材９と、図８に示されるように、貫通孔１０Ａを有し、バカ孔９Ａの内径より大きい直径を有する球状部材１０と、球状部材１０をバカ孔９Ａ上に固定するための、貫通孔１０Ａを通ってキャップ６にねじ込まれる第１固定ボルト１１と、図９に示されるように、球状部材１０から突出する第１固定ボルト１１に嵌め込まれる、キャップ６と下部継手部材９との間に所定の間隔をあけるための円筒状台座１２と、図５から図７に示されるように、左右の手摺７端部の上半部を収容する、長手方向中央下面に球状部材１０の上部を受け入れる半球状凹部１３Ａを有する半円筒形状の上部継手部材１３と、下部継手部材９と上部継手部材１３とを手摺７の端部と共に一体的に筒状に連結するための第２固定ボルト１４とから構成されている。
【００１５】
下部継手部材９のバカ孔９Ａの下方部を、この実施例のように広げることによって、継手８の垂直面内における傾斜角度をより大きく取ることができる。下部継手部材９のバカ孔９Ａの両側には、第２固定ボルト１４用の孔９Ｂが形成されている。また、長手方向の両側縁部中央部には、上部継手部材１３の後述する溝内に嵌まり込む突条９Ｃが形成されている。上部継手部材１３の凹部１３Ａの両側には、第２固定ボルト１４用の雌ネジ１３Ｂが突設され、長手方向の両側縁部中央部には、下部継手部材９の突条９Ｃが嵌まり込む溝１３Ｃが形成されている。下部継手部材９および上部継手部材１３の外面には、その中央部を境に先細りのテーパーが形成されており、手摺との一体感を出している。
【００１６】
このように構成されている、この発明の、防護柵の手摺用自在継手によれば、以下のようにして、支柱５の上端に左右の手摺が固定される。即ち、先ず、球状部材１０および台座１２内に通した第１固定ボルト１１を台座１２と共に下部継手部材９のバカ孔９Ａに通して、第１固定ボルト１１をキャップ６の雌ネジ６Ａにねじ込む。このようにして、下部継手部材９をキャップ６に仮止めする。第１固定ボルト１１を強固に締めても、台座１２の長さは、下部継手部材９のバカ孔９Ａの長さより長く、且つ、台座１２の外径は、バカ孔９Ａの径より小さいことから下部継手部材９は、水平面内においては３６０°、垂直面内においては所定角度範囲内において自在に傾斜させることができる。
【００１７】
次に、手摺７の端部を下部継手部材９上に乗せ、上部継手部材１３の雌ネジ１３Ｂを手摺７の孔７Ａ内に入れ、第２固定ボルト１４を下部継手部材９および手摺７の孔９Ｂ、７Ａを通して、上部継手部材１３の雌ネジ１３Ｂにねじ込んで、球状部材１０に下部継手部材９および上部継手部材１３を仮止めする。この際、球状部材１０の一部は、上部継手部材１３の凹部１３Ａ内に嵌まり込む。次に、下部継手部材９および上部継手部材１３の水平面内および垂直面内における傾斜角度を決め、そして、第２固定ボルト１４を本締めする。第２固定ボルト１４の本締め前に行う下部継手部材９および上部継手部材１３の傾斜角度の位置決めは、下部継手部材９と上部継手部材１３との間に球状部材１０が介在されているので容易に行える。第２固定ボルト１４を本締めすることによって、下部継手部材９および上部継手部材１３は、球状部材１０を介して支柱５のキャップ６に強固に固定される。
【００１８】
第２固定ボルト１４は、下部継手部材９側から挿入する以外に、上部継手部材１３側から挿入しても良い。また、球状部材１０、第１固定ボルト１１および円筒状台座１２を図１０に示すように一体的に形成し、このように一体形成された、頭部が球面状に形成された係止部材１５を介して下部継手部材９および上部継手部材１３を支柱５の上端に固定しても良い。この場合、第１固定ボルト１１をレンチによって回転させることができるように、球状部１５Ａに多角状凹陥部１５Ｂを形成する。球状部１５Ａに多角状凹陥部１５Ｂを形成する以外に、図１１に示すように、球状部１５Ａを多角形状に形成して、スパナによって第１固定ボルト１１を回転させるようにしても良い。更に、別の態様として、円筒状台座１２を支柱５のキャップ６に一体的に形成する等しても良い。
【００１９】
【発明の効果】
以上説明したように、この発明によれば、以下のような有用な効果がもたらされる。
▲１▼  下部継手部材９と上部継手部材１３とは球状部材１０を介して筒状に連結されているので、継手は水平面内においては３６０°、そして、垂直面内においては、所定の角度範囲内において自在に傾斜させることができる。
▲２▼  継手部分において外面に突出する部材は、２本の第２固定ボルト１４の頭部のみであるので、優れた美観を得ることができる。第２固定ボルト１４を下部継手部材９側から挿入すれば、第２固定ボルト１４の頭部が外部から見えにくくなるので、更に、優れた美観を得ることができる。
▲３▼  下部継手部材９および上部継手部材１３に、長手方向中央部を境として先細りのテーパーを形成することによって、継手の径が手摺に近づくので手摺との一体感を出すことができる。
▲４▼  一体的に形成した係止部材１５の場合、そのねじ部の締め具合によって手摺７の高さの微調整が現場で行える。
【図面の簡単な説明】
【図１】この発明の、防護柵の手摺用自在継手の一実施態様を示す部分断面図である。
【図２】この発明の、防護柵の手摺用自在継手における下部継手部材を示す平面図である。
【図３】この発明の、防護柵の手摺用自在継手における下部継手部材を示す側面図である。
【図４】この発明の、防護柵の手摺用自在継手における下部継手部材を示す正面図である。
【図５】この発明の、防護柵の手摺用自在継手における上部継手部材を示す平面図である。
【図６】この発明の、防護柵の手摺用自在継手における下部継手部材を示す側面図である。
【図７】この発明の、防護柵の手摺用自在継手における上部継手部材を示す正面図である。
【図８】この発明の、防護柵の手摺用自在継手における球状部材を示す正面図である。
【図９】この発明の、防護柵の手摺用自在継手における円筒状台座を示す断面図である。
【図１０】この発明の、防護柵の手摺用自在継手における係止部材を示す正面図である。
【図１１】この発明の、防護柵の手摺用自在継手における別の係止部材を示す正面図である。
【図１２】従来継手構造を示す部分断面図である。
【図１３】別の従来継手構造を示す部分断面図である。
【符号の説明】
１：ボルト、
２：支柱、
３：手摺、
４：ボルト、
５：支柱、
６：キャップ、
６Ａ：雌ネジ、
７：手摺、
７Ａ：孔、
８：この発明の継手、
９：下部継手部材、
９Ａ：バカ孔、
９Ｂ：孔、
９Ｃ：突条、
１０：球状部材、
１０Ａ：貫通孔、
１１：第１固定ボルト、
１２：台座、
１３：上部継手部材、
１３Ａ：凹部、
１３Ｂ：雌ネジ、
１３Ｃ：溝、
１４：第２固定ボルト、
１５：係止部材、
１５Ａ：球状部、
１５Ｂ：凹陥部。
【図１】
0003558394.tif 000002
【図２】
0003558394.tif 000003
【図３】
0003558394.tif 000004
【図４】
0003558394.tif 000005
【図５】
0003558394.tif 000006
【図６】
0003558394.tif 000007
【図７】
0003558394.tif 000008
【図８】
0003558394.tif 000009
【図９】
0003558394.tif 000010
【図１０】
0003558394.tif 000011
【図１１】
0003558394.tif 000012
【図１２】
0003558394.tif 000013
【図１３】
0003558394.tif 000014